(57)【要約】【課題】器具本体の被取付部（取付面や吊り金具等）への取付時の作業性を向上させるとともに、電源線の接続作業の作業性も向上させることができる照明器具を提供する。【解決手段】天井面（被取付部）に取り付けられる誘導灯装置１００（照明器具）において、天井面に対向する部分の少なくとも一部が開放された上部開口部３８（開放部）を有する器具枠板３１を周囲に備え、照明用の電気部品を装着する装着部（点灯装置装着部３６、バッテリ装着部３９，端子台装着部４０）を内部に備える器具本体３０と、上部開口部３８を塞ぐように器具枠板３１に取り付けられるとともに、天井面に取り付けられる取付部材５０とを備える。【選択図】図１
2010257879.tif 000002
【特許請求の範囲】
【請求項１】
被取付部に取り付けられる照明器具において、
前記被取付部に対向する部分の少なくとも一部が開放された開放部を有する器具枠板を周囲に備え、照明用の電気部品を装着する装着部を内部に備える器具本体と、
前記開放部を塞ぐように前記器具枠板に取り付けられるとともに、前記被取付部に取り付けられる取付部材と、
を備えることを特徴とする照明器具。
【請求項２】
前記取付部材は、前記取付部材を前記被取付部に固定するネジ部材を挿通させるネジ部材挿通孔を備えることを特徴とする請求項１に記載の照明器具。
【請求項３】
前記器具本体は、前面と、後面と、前記前面と前記後面との間に側面とを有し、前記器具枠板を前記側面に配置した平箱形であり、前記側面のうち前記被取付部に対向する面の略中央に前記開放部を有するとともに、前記被取付部に対向する面の両端部に前記取付部材を取り付ける１対の取付部材取付部を備えることを特徴とする請求項１または２に記載の照明器具。
【請求項４】
前記取付部材は、前記取付部材を前記取付部材取付部に固定するナット部材と、前記ナット部材と螺合するボルトであって、前記器具本体側に延びたボルトとを備え、
前記取付部材取付部は、前記ボルトを挿通させるボルト挿通孔を備えることを特徴とする請求項３に記載の照明器具。
【請求項５】
前記取付部材は、略長方形をなし、長手方向の両端部近傍に前記ボルトを備え、前記ボルトが前記取付部材取付部の備える前記ボルト挿入孔に挿入されて前記ナット部材により固定されることにより、前記取付部材取付部と連結されることを特徴とする請求項４に記載の照明器具。
【請求項６】
前記器具本体は、
内部を前記開放部側の部分と前記開放部側ではない部分とに仕切る仕切り板を備え、
前記仕切り板は、前記装着部として前記開放部側に端子台を装着する端子台装着部を備えることを特徴とする請求項３〜５のいずれかに記載の照明器具。
【請求項７】
前記器具本体は、
前記前面と前記後面とのうち少なくとも一方の面が開口していることを特徴とする請求項６に記載の照明器具。
【請求項８】
前記器具本体は、
前記前面と前記後面とのうちの他方の面に取り付けられる背面板であって、前記他方の面の領域であって前記仕切り板から前記開放部側の領域の少なくとも一部が開口するように取り付けられる背面板を備えることを特徴とする請求項７に記載の照明器具。
【発明の詳細な説明】
【技術分野】
【０００１】
本発明は、天井面等の被取付部に取り付けられる照明器具に関するものであり、例えば、誘導灯装置に関するものである。
【背景技術】
【０００２】
従来の誘導灯は、誘導灯の器具本体が器具本体の周囲に連続した枠部を有し、天井面への取付作業は開口している前面から行われる。また、端子台への電源線接続の作業も開口している前面から行われる。そして、従来の誘導灯では、器具本体の後面は閉塞されている。
【先行技術文献】
【特許文献】
【０００３】
【特許文献１】特開２００５−７７８００号公報
【発明の概要】
【発明が解決しようとする課題】
【０００４】
従来の誘導灯では、天井面への取付作業は、開口されている前面から作業者により行なわれるため、天井面に誘導灯を取り付ける際の作業性が悪いという課題がある。また、端子台への電源線接続等の作業についても、開口されている前面から狭いスペースで行なうため、作業性が悪いという課題がある。Ｃ級のような小さな照明器具では、作業性の悪さが顕著に現れてしまう。
【０００５】
また、誘導灯が両面灯の場合、開口面側の表示ユニットは、器具本体内部による空気の対流によって放熱効果が得られるが、背面板側の表示ユニットは、背面板により器具本体が閉塞されているため、開口面側の表示ユニットのような効果が得られない。そのため、背面板側の表示ユニット部分では、熱がこもり、光源点灯時は温度が上昇してしまう。光源がＬＥＤの場合は寿命が熱（ジャンクション温度）に影響されるため、光源の寿命が短くなってしまう虞があるという課題がある。
【０００６】
本発明は、上記のような課題を解決するためになされたものであり、器具本体の被取付部（天井面、吊り金具等）への取付時の作業性を向上させるとともに、電源線の接続作業の作業性も向上させることができる照明器具を提供することを目的とする。さらに、誘導灯が両面等の場合にも、熱がこもらないようにすることのできる照明器具を提供することを目的とする。
【課題を解決するための手段】
【０００７】
本発明に係る照明器具は、被取付部に取り付けられる照明器具において、
前記被取付部に対向する部分の少なくとも前記被取付部側の一部が開放された開放部を有する器具枠板を周囲に備え、照明用の電気部品を装着する装着部を内部に備える器具本体と、
前記開放部を塞ぐように前記器具枠板に取り付けられるとともに、前記被取付部に取り付けられる取付部材とを備えることを特徴とする。
【発明の効果】
【０００８】
本発明に係る照明器具によれば、器具本体は、被取付部に対向する部分の少なくとも前記被取付部側の一部が開放された開放部を有する器具枠板を周囲に備え、照明用の電気部品を装着する装着部を内部に備え、取付部材は、前記開放部を塞ぐように前記器具枠板に取り付けられるとともに、前記被取付部に取り付けられているので、器具本体を取付面（天井面、壁面等）や吊り金具等の被取付部に取り付ける際の作業性を向上させることができるとともに、電源線の接続作業の作業性も向上させることができる。
【図面の簡単な説明】
【０００９】
【図１】実施の形態１に係る誘導灯装置１００の分解斜視図である。
【図２】実施の形態１に係る誘導灯装置１００であり、（ａ）内部正面図、（ｂ）背面図、（ｃ）側面断面図、（ｄ）平面図である。
【図３】実施の形態１に係る誘導灯装置１００の斜視図である。
【図４】実施の形態１において、（ａ）取付部材５０を器具本体３０と天井面６００とに取り付ける取付手順を示す図、（ｂ）ナット５２２を下方から視た図である。
【図５】実施の形態１において、取付部材５０が取り付けられた状態の誘導灯装置１００を示す図であり、（ａ）内部正面図、（ｂ）背面図、（ｃ）側面断面図、（ｄ）平面図である。
【図６】実施の形態２に係る誘導灯装置２００の分解斜視図である。
【図７】実施の形態２に係る誘導灯装置２００であり、（ａ）内部正面図、（ｂ）背面図、（ｃ）側面断面図、（ｄ）平面図である。
【発明を実施するための形態】
【００１０】
実施の形態１．
本実施の形態では、天井面６００等の被取付部に取り付けられる誘導灯装置１００の構造について説明する。本実施の形態の誘導灯装置１００は、器具本体の片面に表示ユニットを備える片面灯である。
【００１１】
図１は、実施の形態１に係る誘導灯装置１００の分解斜視図である。図２は、実施の形態１に係る誘導灯装置１００であり、（ａ）内部正面図、（ｂ）背面図、（ｃ）側面断面図、（ｄ）平面図である。図３は、実施の形態１に係る誘導灯装置１００の斜視図である。
【００１２】
図１から図３を用いて、本実施の形態の誘導灯装置１００（照明器具）の構造について説明する。誘導灯装置１００は、天井面６００等の被取付部に取り付けられて使用される照明器具である。本実施の形態では、被取付部として天井面６００を想定しているが、これに限られない。本実施の形態の誘導灯装置１００が取り付けられる被取付部としては、例えば、壁面等の取付面、あるいは天井から吊り下げられた吊り金具等でもよい。図１に示すように、誘導灯装置１００は、器具本体３０と、表示ユニット７０と、取付部材５０と、背面板４１とから構成される。
【００１３】
まず、器具本体３０の形状について説明する。
【００１４】
器具本体３０は、天井面６００に対向する部分の少なくとも一部に、開放された上面開口部３８（開放部）を有する器具枠板３１を周囲に備えている。器具本体３０は、前面と、後面と、前面と後面との間に側面とを有し、器具枠板３１を側面に配置した平箱形であり、側面のうち天井面６００に対向する面である枠上面部３１０の略中央に上面開口部３８（開放部）を有する。器具本体３０の枠上面部３１０の両端部には、上面開口部３８を形成する非開口部分があり、これらは後述する取付部材５０を取り付けるための１対の取付部材取付部３４０を構成している。
【００１５】
図２（ｄ）は、器具本体３０を天井面６００側から視た平面図である。１対の取付部材取付部３４０には、ボルト挿通孔３１２を備える。ボルト挿通孔３１２は、取付部材５０が器具本体３０に取り付けに用いられるボルト部材を挿通させる孔である。ボルト挿通孔３１２は、取付部材５０と器具本体３０とを挿通するボルト部材を挿通させる孔であり、だるま形の孔である。図２ではボルト部材は図示していない。取付部材５０を器具本体３０に取り付ける取付手順の詳細については後述する。
【００１６】
図１に示すように、器具枠板３１は、上述した上面開口部３８と取付部材取付部３４０とからなる枠上面部３１０と、枠上面部３１０の両端部（すなわち、１対の取付部材取付部３４０）から各々連続する側面である１対の枠側面部３２０と、１対の枠側面部３２０と両端が連続する枠底面部３３０とから構成される。
【００１７】
器具枠板３１の正面視図（Ａ方向からの図）は、図２（ａ）に示すように、上辺の一部が開放された（寸断された）略長方形状となる。すなわち、器具枠板３１は、正面視図（Ａ方向からの図）が略Ｕ字状、略Ｖ字状、開口が上部にあるＣ字状でもかまわない。
【００１８】
本実施の形態では、器具本体３０（器具枠板３１）は、正面視図が上辺の一部（被取付部である天井面６００に対向する面の少なくとも一部）が開放された略長方形となる平箱形であるが、その他の形状でも構わない。例えば、器具本体３０の正面から視た形（正面視図）が、上辺の一部が開放された三角形、円形、だるま形、多角形等となる平箱形でも本実施の形態は適用可能である。
【００１９】
器具本体３０は、前面側に開口された前面開口部３７を有する。前面開口部３７は、後述する表示ユニット７０が器具本体３０に取り付けられることにより塞がれる。
【００２０】
本実施の形態の誘導灯装置１００は片面灯であるため、背面側には、背面板４１が取り付けられる。背面板４１は、誘導灯装置１００が片面灯の場合は、器具本体３０の背面全面を塞ぐように取り付けられる。図２（ｂ）は、器具本体３０を背面側から視たときの背面板４１である。背面板４１は、器具本体３０とは、別部品としてもよいし、あるいは器具本体３０と一体成形されていてもよい。つまり、器具本体３０は、前面と後面とのうち少なくとも一方の面（本実施の形態では前面）が開口している。
【００２１】
また、誘導灯装置１００の設置場所の変更等により、背面板４１を通して電源線を接続したり、背面板４１を壁面等の被取付部に直接ネジ止めしたりする場合がある。このような場合のために、背面板４１には、簡単に電源線のための電線穴４１０ａやネジ止めのための取付用ネジ穴４１０ｂ，４１０ｃを形成することができるように、切り込み４１０を形成していてもよい（図２（ｂ）参照）。あるいは、背面板４１は、予め、電線穴４１０ａ、壁取付用ネジ穴４１０ｂ，４１０ｃ等を形成してあってもよい。本実施の形態における誘導灯装置１００の器具本体３０は、天井面６００に取り付ける場合だけでなく、壁面に直付する場合にも適用することができ、天井取付形および壁面直付形に共用が可能となる。
【００２２】
次に、図１及び図２を用いて、器具本体３０の内部の構成について説明する。
【００２３】
器具本体３０の内部には、光源を点灯させるための照明用の電気部品を装着する装着部が備わっている。電気部品とは、例えば、点灯装置９０（図２参照）、バッテリ９１（図２参照）、端子台９２（図２参照）等である。また、器具本体３０は、器具本体３０の内部を上面開口部３８側（開放部側）の部分と上面開口部３８側（開放部側）ではない部分とに仕切る仕切り板４２を備える。
【００２４】
仕切り板４２は、器具本体３０の内部を、上部（上面開口部３８側（開放部側）の部分）と下部（上面開口部３８側（開放部側）ではない部分）とに仕切っている。仕切り板４２の上面には、端子台９２を装着するための端子台装着部４０が設けられる。すなわち、端子台９２は、仕切り板４２の上面に装着される。端子台９２は、仕切り板４２の上面に装着され、電源から端子台９２に接続される電線は、後述する取付部材５０に設けられた電線穴５１を介して接続される。すなわち、仕切り板４２の上部は電源線の接続スペース３５０となる。
【００２５】
仕切り板４２の下部は、点灯装置９０、バッテリ９１等を収納する部品収納部３４となる。器具本体３０の部品収納部３４には、点灯装置９０を装着する点灯装置装着部３６と、バッテリ９１を装着するバッテリ装着部３９とが設けられる。
【００２６】
図２（ａ）は、電気部品である点灯装置９０，バッテリ９１、端子台９２が器具本体３０の内部に装着された状態を示している。点灯装置９０は、部品収納部３４の点灯装置装着部３６に装着され、バッテリ９１は、バッテリ装着部３９に装着されている。また、端子台９２は、仕切り板４２の上部の接続スペース３５０の端子台装着部４０に装着されている。
【００２７】
仕切り板４２により、仕切り板４２の上部が電源線の接続スペース３５０として確保されるとともに、接続スペース３５０には上面開口部３８があるため電源線の接続作業の作業性が向上する。
【００２８】
次に表示ユニット７０について説明する。本実施の形態における誘導灯装置１００では、表示ユニット７０は従来技術のものを適用する。表示ユニット７０は、表示パネル、光源７３、導光体７４（図２（ｃ）参照）、表示ユニット取付部７２とから構成される。光源７３は、導光体７４の少なくとも１辺に沿って設けられる。本実施の形態では、光源７３は、導光体７４の上部の１辺に設けられ、導光体７４の上部から光を照射する。表示パネル７１は、光源７３及び導光体７４の全面に配置される。表示パネル７１には、表示したい文字や図形（誘導灯装置の場合は、例えば、非常口を示すイラスト等）が記載されており、導光体７４からの光の照射により記載されている文字や図形やイラスト等が明るく表示される。
【００２９】
表示ユニット７０は、器具本体３０の前面開口部３７を塞ぐように取り付けられる。図３は、実施の形態１において、表示ユニット７０と取付部材５０とを取り付けた誘導灯装置１００の斜視図である。表示ユニット７０は、図１に示すように、両側の側面の上部と下部とに表示ユニット取付部７２を備えている。表示ユニット取付部７２は、器具本体３０の方向に突出した突出片である。例えば、表示ユニット取付部７２は、係止孔を備え、器具本体３０の側面の内側には係止孔に対応する位置に係止突起（図示なし）を備える。表示ユニット取付部７２は、器具本体３０の側面の内側に挿入され、係止突起が係止孔に嵌ることにより、器具本体３０に取り付けられるとしてもよい。あるいは、例えば、表示ユニット取付部７２は、係止突起を外側に備え、器具本体３０の側面の内側には係止突起に対応する位置に係止溝（図示なし）を備える。表示ユニット取付部７２は、器具本体３０の側面の内側に挿入され、係止突起が係止溝に嵌ることにより、器具本体３０に取り付けられるとしてもよい。
【００３０】
次に取付部材５０について説明する。
【００３１】
取付部材５０は、器具本体３０の上面を覆って、上面開口部３８を塞ぐように器具本体３０に取り付けられる。取付部材５０は、断面逆Ｕ字状（下側に開口する向きの断面略コ字状）であり、器具本体３０の上面に被せるように取り付けられる。取付部材５０の取付部材上面５４は、器具本体３０の上面よりもやや小さい。取付部材５０は、金属製の金具である。なお、取付部材５０は、器具本体３０を被取付部である天井面６００に固定できればよく、例えば、樹脂製等であってもよい。
【００３２】
１対の取付部材取付部３４０には、それぞれに凹部（１対の枠正面凹部３１１）が形成されている。取付部材５０の長辺方向の両端付近を１対の枠上面凹部３１１に嵌めて固定することにより、枠上面部３１０の上面開口部３８が塞がれる。取付部材５０の取付（固定）方法については後述する。
【００３３】
取付部材５０は、電源線を挿通させる電線穴５１を取付部材上面５４の略中央に備える。また、取付部材５０は、１対の取付部材取付部３４０への固定時（取付時）に使用されるボルト部材を挿入するための（取り付けるための）１対のボルト取付孔５２を備える。１対のボルト取付孔５２は、器具本体３０の上面に設けられた１対のボルト挿通孔３１２に対応する位置に設けられる。
【００３４】
また、取付部材５０は、天井面６００に固定するためのネジ部材を器具本体３０側から挿入させるネジ穴５３（ネジ部材挿通孔）を電線穴５１の両側に１つずつ（合計２つ）備える。取付部材５０の天井面６００への取付を安定させるためには、ネジ穴５３は、電線穴５１と、両端部近傍の１対のボルト取付孔５２の各ボルト取付孔５２との間の略中央部に、それぞれ１つずつ（合計２つ）設けられるのが好ましい。
【００３５】
図４は、実施の形態１において、取付部材５０を器具本体３０と天井面６００とに取り付ける取付手順を示す図である。図５は、実施の形態１において、取付部材５０が取り付けられた状態の誘導灯装置１００を示す図であり、（ａ）内部正面図、（ｂ）背面図、（ｃ）側面断面図、（ｄ）平面図である。図４と図５とを用いて、誘導灯装置１００において、取付部材５０を器具本体３０と天井面６００とに取り付ける取付手順について説明する。
【００３６】
図４に示すように、取付部材５０は、ネジ６０（６０ａ，６０ｂ）を用いて天井面６００（図示せず）に固定される。ネジ６０（６０ａ，６０ｂ）は、ネジ部材である。
【００３７】
また、図４に示すように、取付部材５０は、ボルト５２１とナット５２２とを用いて、器具本体３０に固定される。ボルト５２１は、ボルト部材であり、ナット５２２は、ナット部材である。ナット５２２としては、例えば、作業者が手で締め付けることのできるローレットナットが好ましい。
【００３８】
以下に、取付部材５０を、天井面６００と器具本体３０とに固定する取付手順の一例について説明する。
【００３９】
（１）＜電源線接続手順＞
（１−１）作業者は、電源線を取付部材５０の電線穴５１に通して器具本体３０に装着されている端子台９２に接続する。このとき、端子台９２は、器具本体３０の上面開口部３８側の接続スペース３５０に装着されているので、電源線接続の作業が容易となる。
【００４０】
（２）＜取付部材５０の天井面６００への固定手順＞
（２−１）取付部材５０には、予め、ボルト５２１がボルト取付孔５２に通されており、そのボルト５２１の先端にはナット５２２が軽く螺号されているものとする。ボルト５２１は、取付部材５０とは別部品でもよいし、取付部材５０に予め固定されていてもよい。また、ナット５２２は、予めボルト５２１の先端に螺号されていなくても構わない。ナット５２２としては、例えば、作業者の手で締め付けやすいローレットナットを使用する。
（２−２）作業者は、まず、ネジ６０ａを、器具本体３０側から取付部材５０のネジ穴５３ａを通して天井面６００にねじ込む。図５（ｄ）は、取付部材５０の平面図であり上方から視た図である。図５（ｄ）及び図４に示すように、ネジ穴５３ａは、取付部材５０の長辺方向に長いだるま形である。あるいは、ネジ穴５３ａは、長辺方向の径が短辺方向の径よりも長い長円形でもよい。したがって、作業者は、ネジ６０ａをネジ穴５３ａを通して天井面６００に取付部材５０を軽く固定してから、取付部材５０を長辺方向に微調整することができる。作業者は、取付部材５０の位置を長辺方向に微調整した後、ネジ６０ｂをネジ穴５３ｂ（ネジ穴５３ｂのうちのいずれか適当な方）に通してねじ込み、ネジ穴５３ｂ側で取付部材５０を固定するとともに、ネジ穴５３ａ側のネジ６０ａもしっかりとねじ込んで取付部材５０を固定する。
【００４１】
（３）＜器具本体３０の取付部材５０への固定手順＞
（３−１）作業者は、先端にナット５２２が取り付けられたボルト５２１を、だるま形のボルト挿通孔３１２に挿通させるように器具本体３０を天井面６００方向に押し上げる。ボルト挿通孔３１２は、図２（ｄ）に示すようなだるま形である。ボルト挿通孔３２１は、大きい方の孔の径がナット５２２が挿通できる長さの径となっており、小さい方の孔の径はナット５２２が挿通できない長さの径となっている。したがって、作業者は、まず、ボルト挿通孔３２１の大きい方の孔にボルト５２１の先端に螺号されているナット５２２から挿入させ、ナット５２２が完全にボルト挿通孔３２１を通過するまで器具本体３０を押し上げる。作業者は、ナット５２２部分が完全にボルト挿通孔３２１を通過した後、ボルト５２１がボルト挿通孔３１２の小さい方の孔を挿通するように、器具本体３０の位置をスライドさせる。ボルト５２１が小さい方の径に挿通している状態では、先端に固定されたナット５２２は、ボルト挿通孔３１２を挿通することはできないので、器具本体３０が取付部材５０から外れることはない。また、ボルト挿入孔３１２のだるま孔の中間近傍に、外れ防止のための突起を設けてもよい。例えば、ボルト挿入孔３１２のだるま孔の中間近傍の両側に、一対の突起を設ける。一対の突起の突起間の間隔は、ナット５２２の径の長さと略等しい間隔とする。ナット５２２を締め付けたときに、一対の突起の突起間にナット５２２が挟まれるようにすることで、外れを防止することができる。
（３−２）作業者は、取付部材５０の両端近傍を、器具本体３０の上面の１対の枠上面凹部３１１に嵌めた状態で、両側のナット５２２を手で締め付ける。その後、作業者は、工具を用いてナット５２２を締め付け、器具本体３０を取付部材５０に固定する。図４（ｂ）に示すように、ナット５２２の下部には工具での締め付けを可能とする溝が設けられている。
【００４２】
以上のような手順で、本実施の形態の誘導灯装置１００の取付部材５０及び器具本体３０は、天井面６００に取り付けられる。図５（ａ）、図５（ｃ）に示すように、取付部材５０は、器具本体３０の１対の取付部材取付部３４０を介してナット５２２により締め付けられ固定される。
【００４３】
上述した取付手順は、一例であり、その他の手順で取り付けることもできる。例えば、取付部材５０を器具本体３０に取り付けた後に、天井面６００に固定することも可能である。このような手順の場合でも、電源線接続等の作業の際には、器具本体３０の上部に開放した部分（上面開口部３８）を有したまま作業することができるので、作業性がよい。
【００４４】
また、取付部材５０を天井面６００に取り付ける際に用いるネジ部材は、ネジだけでなく、例えば、釘、リベット、ナット及びボルト等、天井面に固定可能な固定部材であればネジに限られない。
【００４５】
また、取付部材５０を器具本体３０に取り付ける際に用いるボルト部材及びナット部材は、ボルトとナットだけでなく、取付部材５０と器具本体３０の取付部材取付部３４０とを固定することができる固定部材であれば、例えば、固定溝付き固定棒とその固定溝に嵌合して固定される固定具等、他の固定部材でも適用可能である。
【００４６】
本実施の形態では、以下のような特徴を備える誘導灯装置１００について説明した。
【００４７】
取付部材５０が別部品として設けられた取付用枠部と一辺が開口された枠を周囲に有し、その枠内部に電気接続用端子部（端子台９２等）が設けられ、前面に開口部（前面開口部３７）が形成されていて、内部に電気接続部とその接続スペース３５０を除いた電気部品収納部（部品収納部３４）が形成された器具本体３０と、
導光体７４および導光体７４の少なくとも１辺に沿って設けられ導光体７４の側部（上部）から光を照射する光源７３を有し、取付部材５０と器具本体３０とを取付けることにより電気接続部の接続スペース３５０が確保され、その接続スペース３５０と開口部のほぼ同じ大きさで開口部を閉塞する表面の表示ユニット７０と、
器具本体３０の電気部品収納部に収納され光源７３を点灯させる電気的部品を有する点灯手段とを具備したことを特徴とする。
【００４８】
器具本体３０の電気接続空間部（接続スペース３５０）の背面側に形成され電源線を挿通する電線穴４１０ａと取付用ネジ穴４１０ｂ，４１０ｃとを備えたことを特徴とする。
【００４９】
本実施の形態の誘導灯装置１００によれば、器具本体３０の上部が開放された状態で電源線接続等の作業ができるので、作業性が向上する。
【００５０】
本実施の形態の誘導灯装置１００によれば、器具本体３０と取付部材５０とが別部品として設けられているので、天井面６００に取り付ける際の取付作業が容易となる。
【００５１】
本実施の形態に係る誘導灯装置１００によれば、仕切り板４２により端子台９２を器具本体３０の部品収納部３４から分離することができるので、今までの限られたスペースでの作業から開放され、電源線接続の作業が容易となる。
【００５２】
器具本体３０は、天井面取付形および壁直付形に共用が可能となる。壁直付形として取り付ける場合には、器具本体３０の電気接続空間部（接続スペース３５０）の背面側に取り付けられた背面板４１に形成された電源線を挿通する電線穴４１０ａと取付用ネジ穴４１０ｂ，４１０ｃとを用いて（図２（ｂ）参照）、器具本体３０を壁面に取り付ける。この場合は、作業者は、まず、ネジを、器具本体３０の内部から取付用ネジ穴４１０ｃを通して壁面にねじ込む。図２（ａ）（ｂ）に示すように、取付用ネジ穴４１０ｃは、長辺方向に長いだるま形である。したがって、作業者は、ネジを取付用ネジ穴４１０ｃを通して壁面に器具本体３０（背面板４１）を軽く固定してから、器具本体３０を長辺方向に微調整することができる。作業者は、器具本体３０の位置を長辺方向に微調整した後、別のネジを取付用ネジ穴４１０ｂ（取付用ネジ穴４１０ｂのうちのいずれか適当な方）に通してねじ込み、取付用ネジ穴４１０ｂ側で固定するとともに、取付用ネジ穴４１０ｃ側のネジもしっかりとねじ込んで器具本体３０を固定する。
【００５３】
実施の形態２．
本実施の形態では、器具本体３０の前面側と背面側との両面に表示ユニット７０を取り付けた両面灯の誘導灯装置２００について説明する。
【００５４】
図６は、実施の形態２に係る誘導灯装置２００の分解斜視図である。図６は、実施の形態１の図１に対応する図であり、図１において説明したものと同一の構成部分については同一の符号を付し、その説明を省略する。また、図７は、実施の形態２に係る誘導灯装置２００であり、（ａ）内部正面図、（ｂ）背面図、（ｃ）側面断面図、（ｄ）平面図である。図７は、実施の形態１の図２に対応する図であり、図２において説明したものと同一の構成部分については同一の符号を付し、その説明を省略する。
【００５５】
図６に示すように、誘導灯装置２００は、器具本体３０の背面側にも表示ユニット（背面側）７０ａを備える。表示ユニット（背面側）７０ａの構成は、前面側の表示ユニット７０の構成と同一である。
【００５６】
図６に示すように、誘導灯装置２００は、器具本体３０の背面に背面板６１を備える。背面板６１は、器具本体３０の背面の仕切り板４２部分から上方の領域を開放するように取り付けられる。つまり、背面板６１は、仕切り板４２から下方を閉塞させるように形成されている。背面板６１を取り付けることにより、器具本体３０の背面の仕切り板４２から下方が閉塞され、上方には背面開口部６２が形成される。
【００５７】
本実施の形態の誘導灯装置２００の器具本体３０は、このような背面板６１を備えることにより、仕切り板４２から上方の範囲に前面から後面に貫通する開口部（背面開口部６２）を有することになる。
【００５８】
つまり、本実施の形態の誘導灯装置２００は、器具本体３０の背面の表示手段（表示ユニット（背面側）７０ａ）の光源７３ａおよび点灯手段（電気部品）を電気的に接続する接続手段と、器具本体３０の電気接続空間部（接続スペース３５０）の背面側が開口した背面開口部６２を備えることを特徴とする。
【００５９】
また、背面板６１は、背面側の表示ユニット（背面側）７０ａの表示ユニット取付部７２ａを取り付けるための表示ユニット取付孔６３を備える。背面板６１は、表示ユニット（背面側）７０ａが取り付けられる際に、表示ユニット取付部７２ａに対応する位置（両側側部の上下）４箇所に表示ユニット取付孔６３を備える。表示ユニット取付孔６３に挿入された表示ユニット取付部７２ａの器具本体３０への係止方法は、実施の形態１で説明したものと同様である。
【００６０】
図７（ｃ）に示すように、両面灯の場合、前面開口部３７側の表示ユニット７０は、器具本体３０の対向する面が開口しているので器具本体３０内部による空気の対流によって放熱効果が得られる。背面板側の表示ユニット（背面側）７０ａは、通常は図２（ｃ）の背面板４１のように背面全体が閉塞されているため、空気の対流による効果が得られない。そのため、熱がこもり、光源点灯時は温度が上昇してしまう。また、光源７３がＬＥＤの場合は、ＬＥＤの寿命が熱（ジャンクション温度）に影響されるため閉塞されているのは好ましくない。
【００６１】
本実施の形態に係る誘導灯装置２００によれば、図７（ｃ）に示すように、表示ユニット（背面側）７０ａに対向する器具本体３０の背面にも、背面開口部６２を有するので、空気の対流による放熱効果が得られるという効果を奏する。特に、前面側と背面側との光源７３，７３ａに近い場所に背面開口部６２を有するので、放熱効果が高い。
【００６２】
本実施の形態では、器具本体３０の仕切り板４２から上部を開放するように背面板６１を設置したが、例えば、仕切り板４２の下方にも一部開口を備えていてもよい。あるいは、仕切り板４２の上方は全面開口でなくてもよく、仕切り板４２の上方の一部が開口するような開口部でもよい。あるいは、器具枠板３１と仕切り板４２のみで電気部品を装着することができれば、背面板を備えていなくても構わない。
【００６３】
以上、実施の形態１〜２について説明したが、これらのうち、２つの実施の形態を組み合わせて実施しても構わない。あるいは、これらのうち、１つの実施の形態を部分的に実施しても構わない。あるいは、これらのうち、２つの実施の形態を部分的に組み合わせて実施しても構わない。
【符号の説明】
【００６４】
３０  器具本体、３１  器具枠板、３４  部品収納部、３６  点灯装置装着部、３８  上面開口部、３９  バッテリ装着部、４０  端子台装着部、４１  背面板、４２  仕切り板、５０  取付部材、５１  電線穴、５２  ボルト取付孔、５３，５３ａ，５３ｂ  ネジ穴、５４  取付部材上面、６０，６０ａ，６０ｂ  ネジ、６１  背面板、６２  背面開口部、６３  表示ユニット取付孔、７０  表示ユニット、７０ａ  表示ユニット（背面側）、７１，７１ａ  表示パネル、７２，７２ａ  表示ユニット取付部、７３，７３ａ  光源、７４  導光体、９０  点灯装置、９１  バッテリ、９２  端子台、１００  誘導灯装置、２００  誘導灯装置、３１０  枠上面部、３１１  枠上面凹部、３１２  ボルト挿通孔、３２０  枠側面部、３３０  枠底面部、３４０  取付部材取付部、３５０  接続スペース、４１０  切り込み、４１０ａ  電線穴、４１０ｂ，４１０ｃ  取付用ネジ穴、５２１  ボルト、５２２  ナット、６００  天井面。
【図１】
2010257879.tif 000003
【図２】
2010257879.tif 000004
【図３】
2010257879.tif 000005
【図４】
2010257879.tif 000006
【図５】
2010257879.tif 000007
【図６】
2010257879.tif 000008
【図７】
2010257879.tif 000009